(57)【要約】【課題】単純な形状で、部品を容易に取り外し可能とする。【解決手段】電源ボタン２は圧入凸部２３を有し、圧入部品２２は圧入凸部２３を圧入するスリット２４を有する。スリット２４が圧入凸部２３より長い形状であり、スリット２４と圧入凸部２３との隙間２６から工具４０を差し込んで、圧入凸部２３を支点にして圧入部品２２を取り外し可能である。【選択図】図３
2016207819.tif 000002
【特許請求の範囲】
【請求項１】
圧入凸部を有する第１部品と、
前記圧入凸部を圧入するスリットを有し、前記スリットが前記圧入凸部より長い形状であって前記スリットと前記圧入凸部との隙間から工具を差し込み可能な第２部品とを備える電子機器。
【請求項２】
前記圧入凸部は、前記第１部品の壁まで延長された凸壁であり、
前記スリットは、一端側が開放された形状であることを特徴とする請求項１記載の電子機器。
【請求項３】
前記スリットまたは前記圧入凸部の少なくとも一方は、前記スリットの長手方向に沿って短手方向の幅が小さくなるテーパ形状であることを特徴とする請求項２記載の電子機器。
【請求項４】
圧入凸部を有する第１部品と、
前記圧入凸部を圧入するスリットを有し、前記スリットが前記圧入凸部より長い形状であって前記スリットと前記圧入凸部との隙間から工具を差し込み可能な第２部品とを備え、
前記第２部品が前記第１部品に取り付いた状態で前記スリットと前記圧入凸部との隙間から工具を差し込んで前記第２部品を取り外し可能であることを特徴とする部品取り外し構造。
【発明の詳細な説明】
【技術分野】
【０００１】
この発明は、部品の取り外しが容易な電子機器および部品取り外し構造に関するものである。
【背景技術】
【０００２】
例えば、特許文献１に係る取り付け構造では、爪を両側に有する部品を、筐体の上方を開放した差し込み溝から差し込み、差し込み溝の一部を切り欠いたえぐり部に上記部品の爪を係合させることにより、部品を筐体に取り付ける。
【先行技術文献】
【特許文献】
【０００３】
【特許文献１】特開昭６１−２７３８８４号公報
【発明の概要】
【発明が解決しようとする課題】
【０００４】
従来の取り付け構造は以上のように構成されているので、筐体に部品を一度取り付けると、取り外しにくいという課題があった。上記特許文献１の取り付け構造は係合を利用していたが、係合に限らず圧入等を利用した場合も同様に部品を取り外しにくいという課題があった。
【０００５】
また、例えば上記特許文献１の取り付け構造においては、差し込み溝とは別の箇所に穴を開けて筐体内へ工具等を差し込み、爪とえぐり部の係合を解除することで取り外しが可能になるが、差し込み溝とは別に工具用の穴を開ける必要があり、形状が複雑になるという課題があった。
【０００６】
この発明は、上記のような課題を解決するためになされたもので、単純な形状で、部品を容易に取り外し可能とすることを目的とする。
【課題を解決するための手段】
【０００７】
この発明に係る電子機器は、圧入凸部を有する第１部品と、圧入凸部を圧入するスリットを有しスリットが圧入凸部より長い形状であってスリットと圧入凸部との隙間から工具を差し込み可能な第２部品とを備えるものである。
【発明の効果】
【０００８】
この発明によれば、スリットが圧入凸部より長い形状になっているので、圧入凸部とスリットとの隙間から工具を差し込んで第２部品を容易に取り外すことができる。また、圧入凸部を圧入するスリットを長くするだけなので、単純な形状の変更でよい。
【図面の簡単な説明】
【０００９】
【図１】この発明の実施の形態１に係るディスク再生装置の構成例を示す斜視図である。
【図２】実施の形態１による電源ボタンの構成例を示す図である。
【図３】実施の形態１において圧入部品を電源ボタンから取り外す手順を示す図である。
【図４】実施の形態１による電源ボタンの変形例を示す図である。
【図５】この発明の実施の形態２による電源ボタンの構成例を示す図である。
【図６】この発明の実施の形態３による電源ボタンの一例であり、圧入凸部とスリットを拡大した図である。
【図７】実施の形態３による電源ボタンの別の例であり、圧入凸部とスリットを拡大した図である。
【図８】この発明の実施の形態４に係るディスク再生装置のディスク挿入口を、図１のＥＥ線に沿って切断した断面図である。
【図９】実施の形態４による圧入部品の変形例を示す断面図である。
【発明を実施するための形態】
【００１０】
実施の形態１．
以下では、この発明の各実施の形態に係る電子機器の一例として、ディスク再生装置を説明する。
図１は、この発明の実施の形態１に係るディスク再生装置の構成例を示す斜視図である。ディスク再生装置は、ディスクプレイヤなどが収容された筐体１の前面に、電源ボタン２、ディスク挿入口３およびディスプレイ４などが配置されている。ユーザにより電源ボタン２が押下されると、この電源ボタン２の背面側に設置された不図示の機械スイッチが、電源ボタン２に連動して作動し、ディスク再生装置の電源をオンする。ディスク再生装置の電源オン時には、電源ボタン２の前面に配置されたインジケータ２１が点灯する。
【００１１】
図２は、ディスク再生装置の電源ボタン２の構成例を示す図であり、図２（ａ）は電源ボタン２を背面側から見た図、図２（ｂ）は電源ボタン２をＡＡ線に沿って切断した断面図である。なお、電源ボタン２を筐体１に取り付ける構造はどのようなものでもよいため、ここでは図示および説明を省略する。
電源ボタン２の背面には圧入部品２２が圧入により取り付けられている。図２（ｂ）において圧入部品２２を電源ボタン２へ圧入する方向を、圧入方向Ｂの矢印で示す。電源ボタン２は「第１部品」であり、圧入部品２２は「第２部品」である。
【００１２】
電源ボタン２は、光を透過しない部材で構成され、背面から圧入方向Ｂに対して突出した円柱状の圧入凸部２３を有する。圧入部品２２は、光を透過する部材で構成され、電源ボタン２の圧入凸部２３を圧入するスリット２４を有する。圧入凸部２３がスリット２４に圧入されることにより、圧入部品２２が相手部品である電源ボタン２に保持された状態になる。また、圧入部品２２にはプリズム２５が形成され、電源ボタン２の不図示の穴からプリズム２５の先端部が露出してインジケータ２１として機能する。ディスク再生装置の電源オン時、電源ボタン２と圧入部品２２の背面側に設置された不図示の光源が発光してプリズム２５を光らせ、インジケータ２１が点灯する。
【００１３】
次に、電源ボタン２から圧入部品２２を取り外すための部品取り外し構造について説明する。
スリット２４は圧入凸部２３より長い形状であり、圧入凸部２３とスリット２４との間には隙間２６が存在する。この隙間２６は、圧入部品２２を電源ボタン２から取り外すときに、工具を差し込むスペースとなる。
ちなみに、従来は、圧入凸部とスリットは略同形状、つまり圧入凸部が円柱状ならばスリットは円形状の穴であるため、上記のような隙間は存在しなかった。
【００１４】
図３に、圧入部品２２を電源ボタン２から取り外す手順を示す。図３の断面図のように、作業者は、圧入凸部２３とスリット２４との隙間２６に棒状の工具４０を差し込み、圧入凸部２３を支点にして工具４０を矢印Ｃ側へ傾けて圧入部品２２を動かし、電源ボタン２から取り外す。圧入凸部２３を支点として用いることで、圧入部品２２を容易に取り外すことができる。これにより、圧入部品２２が破損したときなどに交換作業が容易になる。また、工具４０を差し込む穴を別途設ける必要はなく、圧入凸部２３を圧入するスリット２４を長くするだけでよいため、形状が単純で変更が容易である。
【００１５】
なお、図２と図３の例では、圧入部品２２の縁に切り欠き状のスリット２４を形成して、スリット２４の長手方向の一方を開放端、他方を閉鎖端にしたが、圧入部品２２の中ほどに長穴状のスリット２４を形成して両端部を閉鎖端にしてもよい。この変形例を、図４に示す。
図４の変形例では、圧入凸部２３とスリット２４を、電源ボタン２と圧入部品２２の中ほどに配置し、スリット２４を長穴状にしている。この変形例であっても、圧入凸部２３とスリット２４との隙間２６から工具４０を差し込み、圧入凸部２３を支点にして、圧入部品２２を電源ボタン２から容易に取り外すことができる。
【００１６】
また、図２〜図４の例では、スリット２４の下端部に圧入凸部２３を圧入し、スリット２４の上端部に隙間２６を形成するようにしたが、上下の位置関係を逆にしてもよい。また、スリット２４の途中に圧入凸部２３を圧入し、スリット２４の上端部と下端部に隙間２６を形成してどちらの隙間２６からでも工具４０を差し込める構成としてもよい。
さらに、スリット２４を電源ボタン２の上下方向に長く形成するのではなく、左右方向等の任意の方向に長く形成してもよい。スリット２４を長くすることでできる隙間２６は、工具４０を差し込んで圧入部品２２を取り外すことができれば、どのような形態でもよい。
【００１７】
また、図２〜図４の例では、圧入凸部２３を円柱状にしたが、長さのある凸壁状にしてもよい。圧入凸部２３が円柱の場合に比べて、凸壁にした方が強度が向上して変形しにくくなる。そのため、圧入部品２２を電源ボタン２から取り外す際、凸壁状の圧入凸部２３を工具４０の支点にしたとしても、変形および破損の恐れが少ない。
【００１８】
以上より、実施の形態１によれば、圧入凸部２３を圧入するスリット２４を、圧入凸部２３より長い形状にしたので、圧入凸部２３とスリット２４との隙間２６から工具４０を差し込んで圧入部品２２を電源ボタン２から容易に取り外すことができる。また、圧入凸部２３を圧入するスリット２４を長くするだけなので、単純な形状の変更でよい。
【００１９】
実施の形態２．
図５は、この発明の実施の形態２による電源ボタン２の構成例を示す図であり、図５（ａ）は電源ボタン２を背面側から見た図、図５（ｂ）は電源ボタン２をＤＤ線に沿って切断した断面図である。図５において、図１〜図４と同一または相当の部分には同一の符号を付し説明を省略する。
【００２０】
実施の形態２では、電源ボタン２の圧入凸部２３ａが、電源ボタン２の壁２７まで延長された凸壁になっている。
なお、圧入凸部２３ａと壁２７との接続部分を避けるために、圧入部品２２のスリット２４ａは一端側が開放形状になっている必要がある。
【００２１】
実施の形態１のような独立した圧入凸部２３に比べて、実施の形態２のような壁２７に接続した圧入凸部２３ａの方が強度が向上して変形しにくくなる。そのため、圧入部品２２を電源ボタン２から取り外す際、圧入凸部２３ａを工具４０の支点にしたとしても、変形および破損の恐れが少ない。
【００２２】
実施の形態３．
本実施の形態３では、上記実施の形態２の変形例を説明する。
図６と図７は、この発明の実施の形態３による電源ボタン２の背面側の圧入凸部とスリットを拡大した図である。図６と図７において、図５と同一または相当の部分には同一の符号を付し説明を省略する。
【００２３】
図６の例では、スリット２４ｂが、このスリット２４ｂの長手方向に沿って短手方向の幅が小さくなるテーパ形状になっている。より詳しくは、スリット２４ｂの開放端２４ｂ−１の幅が最も大きく、スリット２４ｂの閉鎖端２４ｂ−２へ向かうにつれて幅が小さくなっていく。このテーパ形状によりスリット２４ｂと圧入凸部２３ａとのオーバラップ量を調節でき、適切な保持力に設定することができる。オーバラップ量を大きくするほど圧入時の変形量が大きくなり、保持力が向上する。図６の例では、圧入凸部２３ａとスリット２４ｂとが、左右２箇所のオーバラップ部２８において圧入され保持されている。
【００２４】
図７の例では、圧入凸部２３ｂが、スリット２４ａの長手方向に沿って短手方向の幅が小さくなるテーパ形状になっている。より詳しくは、圧入凸部２３ｂの壁２７側の基端２３ｂ−１の幅が最も小さく、圧入凸部２３ｂの先端２３ｂ−２へ向かうにつれて幅が大きくなっていく。このテーパ形状によりスリット２４ａと圧入凸部２３ｂとのオーバラップ量を調節でき、適切な保持力に設定することができる。図７の例では、圧入凸部２３ｂとスリット２４ａとが、左右２箇所のオーバラップ部２８において圧入され保持されている。
【００２５】
これにより、オーバラップ部２８の保持力を保ちながら、圧入部品２２を容易に取り外すことができる。
【００２６】
なお、図６の例ではスリット２４ｂのみテーパ形状にし、図７の例では圧入凸部２３ｂのみテーパ形状にしたが、スリット２４ｂと圧入凸部２３ｂの両方をテーパ形状にしてもよい。その場合のテーパ形状の向きの組み合わせは自由とする。
【００２７】
実施の形態４．
上記実施の形態１〜３では本発明に係る部品取り外し構造を電源ボタン２に適用した例を説明したが、圧入部品を相手部品に圧入して取り付けるものであれば、どのようなものに適用してもよい。本実施の形態４では、部品取り外し構造の適用例として、ディスクをガイドするガイド部品を説明する。
【００２８】
図８は、図１のＥＥ線に沿ってディスク再生装置のディスク挿入口３を切断した断面図である。筐体１の内部において、ディスク挿入口３の上下それぞれには、ディスクをガイドする圧入部品３１が取り付けられている。圧入部品３１のガイド部３２が、ディスク挿入口３から挿入されるディスクをガイドする。図８において圧入部品３１を筐体１へ圧入する方向を、圧入方向Ｂの矢印で示す。筐体１は「第１部品」であり、圧入部品３１は「第２部品」である。
【００２９】
筐体１は、内壁面から圧入方向Ｂに対して突出した円柱状の圧入凸部３３を有する。圧入部品３１は、筐体１の圧入凸部３３を圧入するスリット３４を有する。圧入凸部３３がスリット３４に圧入されることにより、圧入部品３１が筐体１に保持された状態になる。上記実施の形態１〜３と同様に、スリット３４は圧入凸部３３より長い形状であり、圧入凸部３３とスリット３４との間には隙間３５が存在する。この隙間３５に工具４０を差し込み、圧入凸部３３を支点にして、圧入部品３１を筐体１から容易に取り外すことができる。
【００３０】
なお、圧入部品３１と筐体１との間に工具４０を差し込むスペースを十分に確保できない場合、図９（ａ）の断面図に示すように、スリット３４の長手方向の一端部をテーパ面３６にして、工具４０の先端が引っ掛かりやすくなるように構成してもよい。あるいは、図９（ｂ）の断面図に示すように、スリット２４の長手方向の一端部に段差３７を設けて、工具４０の先端が引っ掛かりやすくなるように構成してもよい。
【００３１】
また、本発明はその発明の範囲内において、各実施の形態の自由な組み合わせ、各実施の形態の任意の構成要素の変形、または各実施の形態の任意の構成要素の省略が可能である。
【００３２】
また、本発明に係る部品取り外し構造は、上記実施の形態１〜４に例示したディスク再生装置をはじめとする様々な電子機器に対して適用可能である。
【符号の説明】
【００３３】
１  筐体、２  電源ボタン、３  ディスク挿入口、４  ディスプレイ、２１  インジケータ、２２，３１  圧入部品、２３，２３ａ，２３ｂ，３３  圧入凸部、２３ｂ−１  基端、２３ｂ−２  先端、２４，２４ａ，２４ｂ，３４  スリット、２４ｂ−１  開放端、２４ｂ−２  閉鎖端、２５  プリズム、２６，３５  隙間、２７  壁、２８  オーバラップ部、３２  ガイド部、３６  テーパ面、３７  段差、４０  工具。
【図１】
2016207819.tif 000003
【図２】
2016207819.tif 000004
【図３】
2016207819.tif 000005
【図４】
2016207819.tif 000006
【図５】
2016207819.tif 000007
【図６】
2016207819.tif 000008
【図７】
2016207819.tif 000009
【図８】
2016207819.tif 000010
【図９】
2016207819.tif 000011